(57)【要約】  本発明は、中足部及び前足部領域における欠陥位置決めを治療するための矯正用インソールに関し、インソール（２）には少なくとも２つのストラップ機構（１０）が設けられている。足指ストラップ（１１）に加えて、別のストラップ、つまり中足部ストラップ（１２）が設けられており、この中足部ストラップは、足の中足部領域を実質的に包囲し、これにより、外反母趾等の欠陥位置決めの最適な矯正を可能にする。
2013504352.tif 000002
【特許請求の範囲】
【請求項１】
インソール（２）と、該インソール（２）に設けられた開口（２３）を通って案内されかつ少なくとも親指（２８）に矯正力を加える調節可能／引き伸ばし可能なストラップ機構（１０，１１）とを有し、中足骨（２９）の領域に配置された、前記インソール（２）に設けられた開口（２０，２１，２２）を介して案内される付加的な引き伸ばし可能なストラップ機構（１０，１２）を有する、中足部及び前足部領域における欠陥位置決めを治療するための矯正用インソール（１）において、
使用時に前記付加的なストラップ機構（１２）が中足部領域において足の底の領域を少なくとも部分的に包囲するように、前記付加的なストラップ機構（１２）のストラップが通過するための、それぞれが前記インソール（２）の側縁（７，８）から明らかに間隔を置いて設けられた少なくとも２つの長手方向開口（２０，２１，２２）が、前記インソール（２）の中足部領域（５）に設けられていることを特徴とする、矯正用インソール。
【請求項２】
隣接する外縁又は内縁からのそれぞれの長手方向開口（２０，２１，２２）の距離がそれぞれ、中足部領域におけるインソール２の幅の少なくとも１０％である、請求項１記載の矯正用インソール。
【請求項３】
隣接する外縁又は内縁からのそれぞれの開口（２０，２１，２２）の距離がそれぞれ、中足部領域におけるインソール２の幅の１５％から４５％までの範囲である、請求項１又は２記載の矯正用インソール。
【請求項４】
前記付加的なストラップ機構（１２）が、前記インソール（２）の前記中足部領域（５）における開口（２０，２１，２２）を介して案内されており、この場合、それぞれのストラップ（１１，１２）の端部領域（１５）が下側から第１の開口（２０）を通って案内されて該第１の開口（２０）の近くに固定される一方で、ストラップ（１１，１２）が、足が通過するためのループ（１７）を足載せ部（３）の上側に形成するように第１の開口（２０）から案内され、かつ再び第２の開口（２１）を通ってインソール（２）を通過し、前記第２の開口の後側においてストラップ（１１，１２）が折り返され、まだ自由な前記ストラップ（１１，１２）の他方の端部がファスナ（１４）に固定されることによりストラップ機構を固定するようになっている、請求項１から３までのいずれか１項記載の矯正用インソール。
【請求項５】
ストラップ（１１，１２）が、折り返し手段（３１）、好適には折り返しローラ（３１）によって折り返される、請求項４記載の矯正用インソール。
【請求項６】
それぞれの前記ストラップ機構（１０，１１，１２）が、引き伸ばし及び固定のために、ファスナ、好適にはベルクロファスナ（１４）、を備えたフレキシブルなストラップを有しており、一方の端部領域（１５）においてストラップがポジティブフィット及び／又は非ポジティブフィットで前記インソールに結合されている、請求項１から５までのいずれか１項記載の矯正用インソール。
【請求項７】
一方の端部領域（１５）において、フレキシブルなストラップが厚さ増大部（１６）を有しており、該厚さ増大部によってストラップが前記インソール（２）に設けられた前記開口（２０，２１，２２，２３）のうちの１つにポジティブフィット及び／又は非ポジティブフィットで係合することができる、請求項６記載の矯正用インソール。
【請求項８】
前記インソール（２）の足指領域（４）に、１つ又は複数のストラップ機構（１０，１１）のための少なくとも３つの開口（２３）が設けられている、請求項１から７までのいずれか１項記載の矯正用インソール。
【請求項９】
少なくとも４つの開口（２３）が、前記足指領域（５）の幅に亘って分散配置されており、かつ１つ又は複数のストラップ機構（１０，１１）を装着することができる、請求項８記載の矯正用インソール。
【請求項１０】
前記インソール（２）が、それぞれ異なる硬さ又は中実度の複数の領域を有する、請求項１から９までのいずれか１項記載の矯正用インソール。
【請求項１１】
前記ストラップ機構（１０，１１，１２）のための前記開口（２０，２１，２２，２３）を有する前記インソール（２）の領域が、他の領域よりも硬く及び／又は中実に形成されている、請求項８記載の矯正用インソール。
【請求項１２】
前記インソール（２）が、プラスチックに基づく射出成形された部材として形成されている、請求項１から１１までのいずれか１項記載の矯正用インソール。
【請求項１３】
前記インソール（２）が、矯正ソールとして、好適には固有受容性矯正ソールとして、形成されている、請求項１から１２までのいずれか１項記載の矯正用インソール。
【請求項１４】
底側（９）において別の剛性又はフレキシブルなソールに接合されている、請求項１から１３までのいずれか１項記載の矯正用インソール。
【請求項１５】
外反母趾のような中足部及び前足部領域における欠陥位置決めを矯正するための、又は骨折又は外科的介入後に足を固定するためのサンダルにおいて、少なくとも底側（９）において別のフレキシブルな又は剛性のソールに永久に又は解離可能に接合された、請求項１から１４までのいずれか１項記載の矯正用インソール（１）を有することを特徴とする、サンダル。
【発明の詳細な説明】
【技術分野】
【０００１】
本発明は、請求項１の前提部による、中足部及び前足部領域における欠陥位置決めを治療するための矯正用インソールに関する。
【０００２】
例えば外反母趾、鎚状足指、鉤爪指等のこのような欠陥位置決め（位置のずれ又は不整合による変形）は、時には、遺伝性異常により、及び時には欠陥のある履物又は下肢の超過荷重又は位置異常により生じる。以下の説明は、外反母趾として知られる一般的な位置異常の一例を提供するという目的に限定されているが、中足部及び前足部領域におけるその他のタイプの欠陥位置決めにも同様に当てはまる。外反母趾とは、中足趾節関節での親指の外方への反りと定義される。ここで及び以下で「外方」とは常に、身体の中心平面から離れる方向を示し、つまりこの場合には小指に向かう方向を示す。その結果、「内方」とは反対方向、つまり、小指から親指に向かう方向である。外反母趾の場合、足指の腱がもはや関節の中央を通らずに、より内方を通り、腱は足指を傾斜した位置へ引っ張る。このために飛び出した親指の球状部は、この領域にかかる靴の圧力によって生じる苦痛な炎症を頻繁に生じる。それと同時に、様々な中足骨の間の角度、特に親指に隣接する中足骨と、親指の基節骨との間の角度が拡大する。頻繁に生じる付随する症状は、関節症である。外反母趾の原因の中には、前側の横アーチが凹み、その結果親指が反っている開張足、及びファッション性により小さすぎるサイズで頻繁に着用されるか、高すぎるヒールを有するか又は狭すぎるつま先部分を有する、特に欠陥のある履物がある。
【０００３】
外反母趾を矯正するためには、外科的治療に加え、特別な副子又は矯正用インソール等の整形外科手段が一般的である。
【０００４】
１つのこのような矯正用インソールは独国実用新案第２０２００４００６１１３号明細書から公知である。この出版物には、足指の領域において、ソールに設けられたスリットを通って案内される弾性のストラップを有するインソールが記載されている。親指を外反母趾の矯正のために必要な位置へもたらすように、このストラップを親指の周囲に引き伸ばすことができる。
【０００５】
公知の矯正用インソールでは、この矯正用インソールが親指自体の位置にしか作用しないために欠陥位置決めの不完全な矯正しか行わないという点で不利である。しかしながら、これは、欠陥位置決めの有効かつ永続的な矯正のためには十分ではない。なぜならば、中足骨の角度位置の変化を生じないからである。
【０００６】
したがって、本発明の根底にある課題は、前記タイプの矯正用インソールを提供することであり、この矯正用インソールによって、関連する全ての足の骨の、根底にある欠陥位置決めの改良された包括的な矯正を達成することができる。
【０００７】
注意：ここで及び以下で、「矯正用インソール」とは常に、慣用的な意味での「インソール」と、インソールに取り付けられたストラップ機構とから形成された全体の配列に対して用いられる。したがって、「インソール」とは単に、付加的な構成要素を備えないソールを指す。
【０００８】
この課題は、請求項１の特徴部によれば、別の引き伸ばし可能なストラップ機構が、インソールに設けられた開口を介して案内されて配置されていることにより達成される。
【０００９】
本発明は、特に外反母趾の場合の欠陥位置決めを完全に矯正するためには、親指に対してだけではなく、親指に隣接する中足骨に対しても角度位置が変更及び維持されなければならないという理解に基づく。これは、本発明によれば、特に着用された時にその上側に中足骨が位置決めされる領域において、別の引き伸ばし可能でかつフレキシブルなストラップ機構を用いて矯正用インソールの中央領域における中足骨に調節可能な強制力が加えられることによって生じる。この力は、足指領域におけるストラップ機構によって親指に加えられる力と共に、親指を内方へ回動させかつ関連する中足骨を外方へ回動させることによって、関連する骨の角度位置の最適な変化を生ぜしめる。これは、互いに対する２つの隣接する骨の不正な位置決めを、正しい整合した向きに変換する。力、ひいては関連する身体部分の角度位置が精密に調節されることができるようにする、例えばベルクロファスナ（面ファスナ）による、それぞれのストラップ機構の好適な無段階調節が特に有利である。本発明によれば、親指及び親指の骨の位置と、中足骨の位置とは、別々に調節することができる。なぜならば、２つのストラップ機構を互いに独立して作動させることができるからである。
【００１０】
請求項２によれば、付加的なストラップ機構が、補強用インソールが着用されたときに足が足の甲及び側部だけにおいてストラップ機構のストラップと接触するのではなく、足の底の部分も包囲されるように配置されているという点で、矯正用インソールの別の有利な実施形態が含まれることができる。これは、足がインソールに平らに押し付けられることを回避する。平らに押し付けられることは、外反母趾を矯正することを妨げるように作用する。なぜならば、これによって中足骨がより一層拡開させられるからである。その代わりに、本発明による中足部領域の包囲は、この領域におけるこれらの骨が、束ねる意味で中央における力を受けることを保証する。つまり、足のこの領域は、ストラップの力によって平坦化されるのではなく丸みを帯びるようになる。この効果は本発明によれば、付加的なストラップ機構のストラップが、インソールの同じ長手方向位置において互いに実質的に平行に配置されておりかつインソールの隣接する側縁に対して明らかに中心へずれている長手方向開口を介して案内されることによって、達成される。つまり、関連するストラップが足をほとんどの部分において包囲するように、長手方向開口は、矯正用インソールが着用されたときに足底の下側に配置される。
【００１１】
付加的な有利な実施形態によれば、少なくとも長手方向の延びに関して互いに対して平行に配置された、それぞれのストラップに関連した３つの開口を設けることができる。ストラップの一方の端部は、好適にはインソールの外側に配置された開口を通って案内されており、インソールの底側に固定されている。これは、端部の適切な実施形態、例えば、ストラップが底側から引き通された時に、この目的のために特別に成形された、開口とポジティブフィット及び／又は非ポジティブフィットで係合する厚さ増大部を用いて生じることができる。当然のことながら、この端部を、その他の手段によってインソールに不動に又は解離可能に結合することもできる。リベット、接着剤又はベルクロファスナを用いることもできる。ストラップの自由端部は、第２の開口を通って案内され、足のためのループを形成し、この第２の開口も足底の下側に配置されていなければならない。ストラップはここからインソールの下側を第３の開口まで延び、第３の開口を通って上側に出て、自由端部において、掴まれ、引き伸ばされ、足の上側に固定することができる。本発明によれば、ストラップが引き伸ばされた時にストラップを固定するために好適にはベルクロファスナが使用される。なぜならば、このようなファスナは、無段階に移動させかつ固定することができるからである。当然のことながら、例えばバックル、ラチェット式ファスナ、又はスナップ等のその他の固定形式も可能である。
【００１２】
発明の１つの変化態様において、ストラップのための２つの開口のみを有する実施形態が提供される。ストラップの自由端部は、発明の第１の典型的な実施形態の場合のように第３の開口を通って案内されない。その代わりに、第２の開口を通過した後、ストラップの自由端部は、インソールの底側から、隣接する外縁の周りを通って上側へ案内され、引き伸ばした後にそこで固定される。
【００１３】
インソールの足指領域におけるストラッピングが複数のストラップ機構、又は１つ又は複数のストラップを案内するための４つ以上の開口を有する矯正用インソールの設計もまた、発明の範囲に含まれる。これは、例えば外反母趾を改善するために親指に矯正力を加えることができるだけでなく、例えば鎚状足指又は鉤爪指を治療する際に必要となる場合のように、その他の足指に加えることもできる。インソールに設けられた開口はこの目的のために足指領域の幅に亘って分散配置されており、必要な矯正のための要求に応じてストラップ機構を装着することができる。ここで及び明細書の他の部分において、ストラップ機構とは、常に、１つの固定された不動の端部と、身体の一部、例えば足の中足部又は足指が通過するための少なくとも１つのループを有しかつインソールにおける関連する開口を介して案内される１つのフレキシブルな解離可能な自由端部とを有する、引き伸ばし可能なストラップを意味する。
【００１４】
インソールは好適には、開口及びそれぞれのストラップ機構の領域において他の部分よりも硬くかつより安定して形成されるように、異なる硬さの部分を有する。これは、欠陥位置決めを矯正するために必要な力を吸収するようにインソールがストラップ機構の領域において十分に安定することを保証する。さらに、インソールは、望みに応じて他の領域において柔軟でかつフレキシブルであるべきである。つまり、歩行時に足が丸まるために必要な、インソールの縦方向での柔軟性は、中足部領域と前足部／足指領域との間に比較的柔軟でフレキシブルな部分が配置されるように、提供される。この中間領域と、対応して柔軟に形成されたインソールのヒール部分とは、着用快適性のためにも必要である。
【００１５】
本発明の矯正用インソールのための材料として、好適にはプラスチックが使用される。なぜならば、プラスチックは、射出成形を利用した費用対効果の高い製造に特に適しており、中実材料又は発泡材料等の様々な変化した形態で利用できるからである。インソールの様々な領域のために、様々なタイプの材料を組み合わせることができるか、又は材料の様々な変化、例えば様々な程度の発泡材を、互いに隣接して配置することができる。例えばポリウレタン又はエチレンビニルアセテート（ＥＶＡ）等の純粋なプラスチックに加え、コルク、革及び金属インレー等の他の材料と組み合わせることもできる。これにより、安定性、フレキシビリティ、及び着用快適性に関して、インソールの機械的特性を望みに応じて予め決定することができる。
【００１６】
別の好適な実施形態において、矯正用ソール、つまり、着用時に足に対して治療作用を行う、足載せ部のための特別な形状を有するソールが、インソールのために使用される。固有受容性矯正用ソール、例えば足載せ部に加工されたエレメントの特別な配列及び形状によりある神経又は神経中枢に刺激効果を与えるものと理解されるソールが特に好適である。これにより、移動装置の筋肉系における有効な反応につながる信号が脳に発生され、これらの反応は、移動装置における根底にある欠陥位置決めのための治療のように作用する。例えばインターネットサイトwww.podoorthesiologie.deにおいて詳細を見ることができる。１つのこのようなインソールは、矯正用インソールの機能を補助するのに特に有効である。
【００１７】
本発明による矯正用インソールは、矯正される足が、この目的のために提供された矯正用インソールのループに挿入され、次いで、ストラップの自由端部を引っ張ることによってストラップが引き伸ばされ、次いで、所望の位置において、つまり矯正のために必要な位置においてストラップがファスナによって固定されるようにして利用される。この行為は、矯正用インソールが提供される靴の外で行われる。本発明によるストラップ機構の２つのストラップが調節されると初めて、足は矯正用インソールと一緒に靴に挿入され、次いで、靴は、靴ひもで締め付けられるか、又は靴のデザインによって決定されたその他の方式で足に対して保持される。
【００１８】
図面に例示された典型的な実施形態を用いて、発明をより詳細に説明する。
【図面の簡単な説明】
【００１９】
【図１】本発明による矯正用インソールを示す図である。
【図２】矯正用インソールの別の典型的な実施形態を示す図である。
【図３】本発明による矯正用インソールを着用した人間の足を示す平面図である。
【図４】矯正用インソールが位置決めされた中足部領域の横断面図である。
【図５】矯正用インソールが位置決めされた足指領域の横断面図である。
【図６ａ】ストラップを折り返すための好適な手段を示す、本発明による矯正用インソールの別の実施形態を示す図である。
【図６ｂ】ストラップを折り返すための好適な手段を示す、インソールの中足部の断面図である。
【図６ｃ】ストラップに配置された、折り返しのための好適な手段を示す、矯正用インソールの長手方向の図である。
【００２０】
図１は、本発明による矯正用インソール１の概略図である。矯正用インソール１は、好適には整形外科原理に従って構成された足載せ部３を有するインソール２を含む。インソール２は、前側足指領域４と、中足部領域５と、ヒール又は後足部領域６とに分割されており、これらは継目なしに互いに一体化しておりかつ足の解剖学的構造によって規定されている。インソール２は外縁７と内縁８とを有する。「内」及び「外」は、身体中心平面に対する垂直な方向で定義されており、インソールは底側９を有する。
【００２１】
本発明によれば、インソール２には、少なくとも２つの別個のストラップ機構１０、つまり足指ストラップ１１と中足部ストラップ１２とが装着されており、これらのストラップの名称は、足載せ部３におけるこれらのストラップのそれぞれの位置によるものである。それぞれのストラップ１１，１２を受容、案内及び固定するために、インソール２には、足載せ部３からインソールの厚さ全体を通って底側まで案内された複数の長手方向開口２０，２１，２２，２３が設けられている。開口２０，２１，２２，２３の形状は、ストラップ機構１０のストラップ１１，１２の厚さ及び幅に適応させられており、開口２０，２１，２２，２３の長手方向の延びは通常、インソール２の長手方向の延びと少なくともほぼ一致している。しかしながら、特別の矯正のためにこれとは異なる構成を有することもでき、このような異なる構成も発明の範囲に含まれる。
【００２２】
実施形態が２つのストラップに対して同じであるので以下では単に「ストラップ」と呼ばれるそれぞれのストラップ、つまり足指ストラップ１１及び中足部ストラップ１２は、自由端部１３を有しており、この自由端部１３にはファスナが配置されており、このファスナは、ストラップを引き伸ばした後にストラップ１１，１２を足のそれぞれの領域の周囲に固定することを可能にする。このファスナは図１にはベルクロ（登録商標）ファスナ（面ファスナ）１４として示されており、このベルクロファスナは、ストラップの無段階でかつ不動の固定を可能にするのでこの用途のために好適である。後述するように、それぞれのストラップ１１，１２の他方の端部領域１５は、下側からインソール２に設けられた第１の開口２０を通って案内され、この開口２０に又はこの開口２０の近くに固定されている。ストラップはここから導出され、足が足載せ部３の上側において通過するためのループ１７を形成し、再びインソール２の第２の開口２１を通過する。ストラップ１１，１２は、第２の開口２１の背後でインソール２の底側９において折り返され、下側から第３の開口２２を通過する。これにより、まだ自由なストラップ１１，１２の端部１３は、インソール２の上側に配置され、矯正のために必要な引き伸ばしと、その後の固定とを行うために掴むことができる。
【００２３】
本発明によれば、図４ａ及び図４ｂにより明らかに見ることができるように、中足部領域５における第１の開口２０及び第２の開口２１は、インソール２の隣接する縁部、つまり外縁７及び内縁８から明らかに所定の距離に配置されている。これらの距離は、中足部領域におけるインソール２の幅の少なくとも１０％であるべきであり、この幅の１５％から４５％までの範囲の数字が好適である。これが達成することは、足２６の中足部領域が中足部ストラップ１２によってほとんど完全に包囲されるので、足２６の中足部（図４ａ及び図４ｂ参照）が、実質的に半径方向内方へ作用する力を受けるということである。このように向き付けられた力は、ストラップがインソール２の側縁７，８だけに係合する場合にそうであるように中足骨を押し広げる代わりに、中足骨を束ねるので、中足骨の欠陥位置決めを矯正するために必須である。
【００２４】
図２は、本発明の変更された実施形態を示しており、この実施形態では、インソール２は、関連するストラップ１１，１２のための２つの開口２０及び２１のみを有する。第２の開口２１を通ってインソール２の底側９へ出た後、ストラップ１１又は１２の自由端部は底側に沿って折り返され、矯正用インソールの上側に到達する前に、インソール２の隣接する縁部、この場合には内縁８を回り込む。その他の詳細は、図１に示した典型的な実施形態と一致し、繰り返しを回避するためにその説明を参照すべきである。
【００２５】
図３は、人間の足２６に配置された本発明による矯正用インソール１を示している。足２６は、適用されかつ正しく引き伸ばされかつ固定された矯正用インソール１とともに靴（図示せず）に挿入され、次いで靴は通常の方式で靴ひもで締め付けることができる。
【００２６】
図４ａ及び図４ｂは、適用されかつストラップが引き伸ばされた矯正用インソール２を装着した人間の足２６の中足部領域の概略的な横断面図であり、特に図４ｂは図１に示した典型的な実施の形態によるものであり、図４ａは図２に示した典型的な実施の形態によるものである。ここでは参照符号は他の図面と同じ意味を持つ。特に図４ｂには、３つの開口２０，２１及び２２を見ることができ、どのように中足部ストラップ１２が第１の開口２０からループ１７として足の中足部領域の周囲を通って第２の開口２１へ案内され、この第２の開口２１から第３の開口２２を通ってインソール２の上側へ案内されるかを見ることができる。明瞭にする目的で、中足部領域１２の自由端部１３におけるベルクロファスナ１４はまだ固定されない状態で示されている。中足部ストラップ１２の固定の端部は、最も外側の端部領域１５において厚さ増大部１６を有しており、この厚さ増大部１６はこの端部を関連する第１の開口２０に固定する。なぜならば、この開口２０は、厚さ増大部１６が通過するには狭すぎるように形成されているからである。ポジティブフィット（確実結合）及び／又は非ポジティブフィット（非確実結合）を用いたインソール２への一方のストラップ端部のこのような固定は、もちろん、例えばインソールへの接着等のその他の手段を用いて、ベルクロファスナによって、又はリベットを用いても可能である。図４ａは、中足部ストラップ１２が通過するための２つの開口２０及び２１のみをインソール２に有する矯正用インソール１の別の実施形態を示している。この変化態様において、この自由端部１３は、インソール２の内縁８を回り込むように案内され、次いで、ベルクロファスナ１４によって上側に固定される。
【００２７】
図５ａ及び図５ｂは、適用された矯正用インソール１を装着した人間の足の足指領域の横断面の概略図を提供しており、足指ストラップ１１を有するストラップ機構１０は、親指２０の領域だけに設けられている。足指バンド１１は完全に、図４ａ及び図４ｂに示した中足部のためのものと同様に案内されているが、この場合には足指ストラップの一方の固定された端部が、ここに示された接着剤３０によって、又はベルクロファスナによってインソール２の底側９に固定されているという１つの相違点を有する。他の足指も個々に又はグループごとに矯正移動させることができるように、本発明によれば、他の足指２７の領域に、より多くのストラップ機構１０，１１のための開口２３を設けることができると想定される。
【００２８】
図６ａ、図６ｂ及び図６ｃは、本発明による矯正用インソール１の別の実施形態を示しており、これらの図には、ストラップ１１又は１２を折り返すための好適な手段が示されている。ストラップが再び整形外科インソール２を通過するとき、足又は足指がループ１７を通過するためにこのループ１７を形成した後、ストラップが足のそれぞれの領域の周囲に引き伸ばされたときにストラップの折り返しを促進するために、インソールに配置された折り返しローラ３１の周囲に巻き付けられている。折り返しローラ３１を通過した後、まだ自由なストラップ１１又は１２の端部１３は、例えばベルクロファスナ１４の雄部分又は雌部分によって固定することができる。前記形式の固定は、例えば中足部ストラップ１２についてのみ説明されているが、同様に足指ストラップ１１に対しても有効である。
【００２９】
折り返しローラ３１の代わりに、整形外科インソール２におけるストラップ１１又は１２の望ましくない付着を回避するために、ストラップ材料とソール材料との間の全ての摩擦減少手段を用いることができる。
【符号の説明】
【００３０】
１  矯正用インソール
２  整形外科インソール
３  足載せ部
４  足指領域
５  中足部領域
６  ヒール領域／後足部領域
７  外縁
８  内縁
９  底側
１０  ストラップ機構
１１  足指ストラップ
１２  中足部ストラップ
１３  自由端部
１４  ベルクロファスナ
１５  端部領域
１６  厚さ増大部
１７  ループ
２０  第１の開口
２１  第２の開口
２２  第３の開口
２３  開口
２６  足
２７  足指
２８  親指
２９  中足骨
３０  接着剤
３１  折り返しローラ
【図１】
2013504352.tif 000003
【図２】
2013504352.tif 000004
【図３】
2013504352.tif 000005
【図４ａ）】
2013504352.tif 000006
【図４ｂ）】
2013504352.tif 000007
【図５ａ）】
2013504352.tif 000008
【図５ｂ）】
2013504352.tif 000009
【図６ａ】
2013504352.tif 000010
【図６ｂ】
2013504352.tif 000011
【図６ｃ】
2013504352.tif 000012
【国際調査報告】
2013504352.tif 000013
2013504352.tif 000014